(57)【要約】【課題】  利便性に優れた携帯電話機、特に、使用可能な電話番号の数が増えたとしても、利便性が損なわれることがなく、逆に１台で複数の電話番号を使用可能としたことによる利益を充分に享受し得る携帯電話機を提供すること。【解決手段】  通話中に着信があったとき、割込音を発生させる割込音発生手段と、上記割込音を相手先の電話番号に対応させて個別に設定することが可能な割込音設定手段と、上記割込音が発生しているときに、通話相手先との通話を終了して着信相手先との通話を行うための指示の入力を可能とする指示入力手段とを備えたことを特徴とする携帯電話機。【選択図】    図３
2005191900.tif 000002
【特許請求の範囲】
【請求項１】
通話中に着信があったとき、割込音を発生させる割込音発生手段と、
前記割込音を相手先の電話番号に対応させて個別に設定することが可能な割込音設定手段と、
前記割込音が発生しているとき、通話相手先との通話を終了して着信相手先との通話を行うための指示の入力を可能とする指示入力手段と
を備えたことを特徴とする携帯電話機。
【請求項２】
相手先の電話番号ごとに優先度を設定する優先度設定手段と、
通話中に着信があったとき、着信相手先の電話番号に設定された優先度と、通話相手先の電話番号に設定された優先度とを比較することにより、前記着信相手先又は前記通話相手先のいずれか１を選択する選択手段と、
前記選択手段によって前記着信相手先が選択された際、強制的に前記通話相手先との通話を終了させるとともに前記着信相手先との通話を開始させる通話切換手段と
を備えたことを特徴とする携帯電話機。
【請求項３】
１台で複数の電話番号の使用が可能な携帯電話機であって、
前記複数の電話番号のいずれか一の電話番号を使用して通話をしている間に、他の電話番号に対して着信があったとき、割込音を発生させる割込音発生手段と、
前記割込音を相手先の電話番号に対応させて個別に設定することが可能な割込音設定手段と、
前記割込音が発生しているときに、通話相手先との通話を終了して着信相手先との通話を行うための指示の入力を可能とする指示入力手段と
を備えたことを特徴とする携帯電話機。
【請求項４】
前記相手先の電話番号ごとに優先度を設定する優先度設定手段と、
前記複数の電話番号のいずれか一の電話番号を使用して通話している間に、他の電話番号に対して着信があったとき、前記割込音発生手段によって割込音を発生させる前に、着信相手先の電話番号に設定された優先度を、通話相手先の電話番号に設定された優先度と比較することにより、割込音を発生させるか否かを判断する判断手段とを備え、
前記割込音発生手段は、前記判断手段によって割込音を発生させると判断された後に、当該割込音を発生させることを特徴とする請求項３に記載の携帯電話機。
【請求項５】
前記割込音は、着信相手先の称呼を表す音声であることを特徴とする請求項３又は４に記載の携帯電話機。
【請求項６】
１台で複数の電話番号の使用が可能な携帯電話機であって、
相手先の電話番号ごとに優先度を設定する優先度設定手段と、
前記複数の電話番号のいずれか一の電話番号を使用して通話している間に、他の電話番号に対して着信があったとき、着信相手先の電話番号に設定された優先度を、通話相手先の電話番号に設定された優先度と比較することにより、前記着信相手先又は前記通話相手先のいずれか１を選択する選択手段と、
前記選択手段によって前記着信相手先が選択された際、強制的に前記通話相手先との通話を終了させるとともに前記着信相手先との通話を開始させる通話切換手段と
を備えたことを特徴とする携帯電話機。
【発明の詳細な説明】
【技術分野】
【０００１】
本発明は、携帯電話機に関する。
【背景技術】
【０００２】
近年の携帯電話機の普及に伴い、１台の携帯電話機で複数の電話番号を使用可能とする要求が強まってきている。１台の携帯電話機で複数の電話番号を使用可能であれば、複数台の携帯電話機を所持することなく、業務用と私的用とに使い分けを行うことができ、料金の支払い先を明確に区分することができる。
【０００３】
１台で複数の電話番号を使用可能とした携帯電話機としては、例えば、発呼に使用する電話番号を選択して設定することが可能であり、その一方で設定されている電話番号以外の電話番号に対しての着信があった場合には、当該設定に拘わらず受信可能な携帯電話機が存在する（例えば、特許文献１参照）。特許文献１に記載の携帯電話機であれば、予め使用する電話番号が設定されているため、発呼時に電話番号を選択する必要がなく、その一方で着信時には電話番号を選択することなく全ての電話番号が使用可能であるので、利便性に優れたものとなる。
【０００４】
【特許文献１】特開２００３−１８９０１３号公報
【発明の開示】
【発明が解決しようとする課題】
【０００５】
しかしながら、特許文献１には、複数の電話番号のうちの一の電話番号を使用して通話している間に、他の電話番号に対しての着信があった場合にどのように対応するかが記載されていない。一の電話番号を使用して通話している間に他の電話番号に対しての着信があった場合、携帯電話機自体は使用中であるものの、着信があった電話番号自体は使用されていないのであるから、通話不可とするのは不自然であって妥当ではなく、また、利便性に欠けることになる。
【０００６】
特に、近年の複雑化した料金体系に対応すべく一個人が使用する携帯電話番号の数は増加する傾向にあるが、１台の携帯電話機で使用可能とする電話番号の数が増えるほど、当然に、一の電話番号を使用して通話している間に他の電話番号に対して着信がある頻度が高くなる。このような場合に、一の電話番号を使用して通話している間における他の全ての電話番号に対する着信について通話不可とすると、利便性が著しく損なわれ、１台の携帯電話機で複数の電話番号を使用可能とする利益を享受し得なくなる。
【０００７】
本発明は、上述した課題に鑑みてなされたものであり、その目的は、利便性に優れた携帯電話機を提供することにあり、特に、１台で使用可能な電話番号の数が増えたとしても、利便性が損なわれることがなく、逆に１台で複数の電話番号を使用可能としたことによる利益を充分に享受し得る携帯電話機を提供することにある。
【課題を解決するための手段】
【０００８】
上述した課題を解決するために、本発明は、以下のようなものを提供する。
（１）通話中に着信があったとき、割込音を発生させる割込音発生手段と、
上記割込音を相手先の電話番号に対応させて個別に設定することが可能な割込音設定手段と、
上記割込音が発生しているとき、通話相手先との通話を終了して着信相手先との通話を行うための指示の入力を可能とする指示入力手段とを備えたことを特徴とする携帯電話機。
【０００９】
（１）の発明によれば、割込音を相手先の電話番号に対応させて個別に設定することができるため、割込音によって容易に着信相手先を認識することができる。従って、例えば、割込音が発生したときにディスプレイを見て着信相手先を確認したり、通話相手先を待たせておいて一旦着信相手先との通話を行ったりするというような煩わしい手間を省くことができ、割込音によって、通話相手先との通話を継続するか、着信相手先との通話を行うかを選択することができるという点において利便性に優れている。
【００１０】
さらに、本発明は、以下のようなものを提供する。
（２）相手先の電話番号ごとに優先度を設定する優先度設定手段と、
通話中に着信があったとき、着信相手先の電話番号に設定された優先度と、通話相手先の電話番号に設定された優先度とを比較することにより、上記着信相手先又は上記通話相手先のいずれか１を選択する選択手段と、
上記選択手段によって上記着信相手先が選択された際、強制的に上記通話相手先との通話を終了させるとともに上記着信相手先との通話を開始させる通話切換手段と
を備えたことを特徴とする携帯電話機。
【００１１】
（２）の発明によれば、予め相手先の電話番号に優先度が設定されており、通話中に着信があった場合、通話相手先の電話番号に設定された優先度と着信相手先の電話番号に設定された優先度とが比較され、着信相手先の電話番号に設定された優先度が高い場合には、自動的に通話相手先との通話が終了して着信相手先との通話が開始されるため、優先度の高い相手先との通話を優先させることができ、優先度の高い相手先を待たせることがないという点において利便性に優れている。
【００１２】
さらに、本発明は、以下のようなものを提供する。
（３）１台で複数の電話番号の使用が可能な携帯電話機であって、
前記複数の電話番号のいずれか一の電話番号を使用して通話をしている間に、他の電話番号に対して着信があったとき、割込音を発生させる割込音発生手段と、
前記割込音を相手先の電話番号に対応させて個別に設定することが可能な割込音設定手段と、
前記割込音が発生しているときに、通話相手先との通話を終了して着信相手先との通話を行うための指示の入力を可能とする指示入力手段と
を備えたことを特徴とする。
【００１３】
（３）の発明によれば、複数の電話番号のいずれか一の電話番号を使用して通話をしている間に、他の電話番号に対して着信があったとき、割込音が発生し、使用者の選択によっては、通話相手先との通話を終了して着信相手先との通話を行うことができるため、利便性が損なわれることがなく、１台で複数の電話番号を使用可能とした利益を充分に享受することができる。また、割込音を相手先の電話番号に対応させて個別に設定することができるため、割込音によって容易に着信相手先を認識することができる。従って、例えば、割込音が発生したときにディスプレイを見て着信相手先を確認したり、通話相手先を待たせておいて一旦着信相手先との通話を行ったりするというような煩わしい手間を省くことができ、割込音によって、通話相手先との通話を継続するか、着信相手先との通話を行うかを選択することができるという点において利便性に優れている。
【００１４】
さらに、本発明は、以下のようなものを提供する。
（４）  上記（３）に記載の携帯電話機であって、
上記相手先の電話番号ごとに優先度を設定する優先度設定手段と、
上記複数の電話番号のいずれか一の電話番号を使用して通話している間に、他の電話番号に対して着信があったとき、上記割込音発生手段によって割込音を発生させる前に、着信相手先の電話番号に設定された優先度を、通話相手先の電話番号に設定された優先度と比較することにより、割込音を発生させるか否かを判断する判断手段とを備え、
上記割込音発生手段は、上記判断手段によって割込音を発生させると判断された後に、当該割込音を発生させることを特徴とする。
【００１５】
（４）の発明によれば、予め相手先の電話番号に優先度が設定されており、一の電話番号を使用した通話中に他の電話番号に対して着信があった場合、通話相手先の電話番号に設定された優先度と着信相手先の電話番号に設定された優先度とが比較され、通話相手先の電話番号に設定された優先度が高い場合には割込音が発生しないというように、優先度に応じて割込音の発生が制限されるため、通話に集中することが可能となり、利便性に優れたものとなる。特に、１台で使用可能な電話番号の数が増えるほど割込音が発生する機会が増えることになるが、（４）の発明では、利便性が損なわれるということがなく、逆に１台で複数の電話番号を使用可能とした利益を充分に享受することができる。
【００１６】
さら、本発明は、以下のようなものを提供する。
（５）  上記（３）又は（４）に記載の携帯電話機であって、
上記割込音は、着信相手先の称呼を表す音声であることを特徴とする。
【００１７】
（５）の発明によれば、割込音によって着信相手先の称呼を認識することができるため、使用者は、着信相手先ごとの割込音を記憶していなくても、着信相手先が誰であるかを認識することが可能であり、利便性に優れたものとなる。特に、１台で使用可能な電話番号の数が増えるほど、割込音が発生する機会が増えたり、割込音の種類が増えたりすることになり、着信相手先ごとの割込音を記憶することが困難になるが、（５）の発明によれば、着信相手先ごとに割込音を記憶する必要がないため、利便性が損なわれるということがなく、逆に１台で複数の電話番号を使用可能とした利益を充分に享受することができる。
【００１８】
（６）１台で複数の電話番号の使用が可能な携帯電話機であって、
上記相手先の電話番号ごとに優先度を設定する優先度設定手段と、
上記複数の電話番号のいずれか一の電話番号を使用して通話している間に、他の電話番号に対して着信があったとき、着信相手先の電話番号に設定された優先度を、通話相手先の電話番号に設定された優先度と比較することにより、上記着信相手先又は上記通話相手先のいずれか１を選択する選択手段と、
上記選択手段によって上記着信相手先が選択された際、強制的に上記通話相手先との通話を終了させるとともに上記着信相手先との通話を開始させる通話切換手段と
を備えたことを特徴とする携帯電話機。
【００１９】
（６）の発明によれば、予め相手先の電話番号に優先度が設定されており、一の電話番号を使用した通話中に他の電話番号に対して着信があった場合、通話相手先の電話番号に設定された優先度と着信相手先の電話番号に設定された優先度とが比較され、着信相手先の電話番号に設定された優先度が高い場合には、自動的に通話相手先との通話が終了して着信相手先との通話が開始されるため、優先度の高い相手先との通話を優先させることができ、優先度の高い相手先を待たせるということがない。従って、利便性が損なわれることがなく、１台で複数の電話番号を使用可能とした利益を充分に享受することができる。
【発明の効果】
【００２０】
本発明の構成によれば、使用可能な電話番号の数が増えたとしても、利便性が損なわれることがなく、逆に１台で複数の電話番号を使用可能としたことによる利益を充分に享受し得る携帯電話機を提供することができる。
【発明を実施するための最良の形態】
【００２１】
本発明の実施形態について図面に基づいて説明する。以下においては、１台で３つの電話番号の使用が可能な携帯電話機について説明することにする。勿論、本発明の携帯電話機において、１台で使用可能な電話番号の数は、特に限定されるものではない。
図１は、本発明の携帯電話機の一例を模式的に示す斜視図である。
【００２２】
携帯電話機１は、基地局にキャリアの入出力を行う３本のアンテナ８ａ〜８ｃ（図示せず）をその内部に有するアンテナ部２と、電話に出たときに相手局（着信相手先）の音声を聞くための受話口３と、各種機能の設定や着信時に相手先の電話番号や氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００２３】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００２４】
アンテナ部２は、携帯電話機１で使用可能な３つの電話番号にそれぞれ対応した３本のアンテナ８ａ〜８ｃ（図示せず）をその内部に有するものであり、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００２５】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
【００２６】
図２は、図１に示した携帯電話機の内部構成を示すブロック図である。
携帯電話機１の３つの電話番号に対応した３本のアンテナ８ａ〜８ｃは、それぞれ基地局とのキャリアの入出力を行う。アンテナ８ａ〜８ｃには、それぞれ信号処理回路１０１ａ〜１０１ｃが接続されている。
【００２７】
信号処理回路１０１（１０１ａ〜１０１ｃ）は、アンテナ８（８ａ〜８ｃ）より入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。スピーカ１１１は、アンプ１１８を介して信号処理回路１０１ａ〜１０１ｃの各々と接続されている。また、マイクロホン１１２は、アンプ１１９を介して信号処理回路１０１ａ〜１０１ｃの各々と接続されている。
【００２８】
アンテナ８（８ａ〜８ｃ）から入力された受信キャリアは、受信機−チャネルデコーダ−音声コーデック−送受信機によって音声に変換され、アンプ１１８によって増幅されてスピーカ１１１から出力される。一方、通話中にマイクロホン１１２から入力された音声は、アンプ１１９を介して、使用中の電話番号に対応した信号処理回路１０１に入力され、送受信機−音声コーデック−チャネルエンコーダ−送信器によって送信キャリアに変換されて、アンテナ８（８ａ〜８ｃ）から出力される。これにより、音声通話が達成される。携帯電話機１は、上述したように、３本のアンテナ８（８ａ〜８ｃ）と、３つの信号処理回路１０１（１０１ａ〜１０１ｃ）とを有しており、３つの電話番号のいずれか１つを使用して音声通話を行うことができる。
【００２９】
信号処理回路１０１ａ〜１０１ｃには、それぞれレベル検出回路１０２ａ〜１０２ｃが接続されている。レベル検出回路１０２（１０２ａ〜１０２ｃ）は、基地局からアンテナ８（８ａ〜８ｃ）を介して信号処理回路１０１（１０１ａ〜１０１ｃ）に入力された受信キャリアの電波強度を検出してそのデータを制御回路１１６に送信する。制御回路１１６は、受信キャリアの電波強度に関するデータを、３つのレベル検出回路１０２（１０２ａ〜１０２ｃ）の各々から受信し、当該データに基づいて、ディスプレイ４にアンテナピクトを表示する。
【００３０】
信号処理回路１０１ａ〜１０１ｃのそれぞれと接続された制御回路１１６は、ＣＰＵ（Central Processing Unit）やメモリ等を有しており、制御中枢を司るものである。具体的には、制御回路１１６は、予め記憶されているプログラムに従って、発信ボタンや通話ボタンを含む操作キー群６及び十字操作キー５からの入力に対する制御、ディスプレイ４への表示の制御、信号処理回路１０１ａ〜１０１ｃへの制御（例えば、シンセサイザの制御や、スピーカ１１１又はマイクロホン１１２との音声の送受信を行う信号処理回路１０１ａ〜１０１ｃの切り替え制御等）、着信音出力スピーカ１０３への音信号の出力制御、バイブレータ用モータ１０４の駆動制御、並びに、音声合成装置１１７の動作制御を行う。
【００３１】
また、制御回路１１６（図示せず）は、メモリを有している。このメモリには、例えば、各種の画像データ、着信音を出力するための種々の音データ、割込音を発生させるべく音声合成装置１１７を動作させるプログラム、通話時間を累積加算して当該メモリに記憶させるプログラム、３つの電話番号の各々についての料金体系に基づいて通話料金を算出するプログラム等、各種のデータやプログラムが記憶される。
【００３２】
また、制御回路１１６には、メモリ等を有する電話番号記憶回路１１３が接続されている。電話番号記憶回路１１３には、アドレス帳テーブルが格納されている。このアドレス帳テーブルには、携帯電話機１で使用可能な電話番号ごとに、少なくとも相手先の電話番号と氏名又は名称とが記憶されており、さらに、メールアドレスや住所等が記憶される。
また、アドレス帳テーブルにおいては、相手先の電話番号ごとに、割込音が関連付けられて記憶される。
【００３３】
さらに、制御回路１１６には、音声合成装置１１７が接続されており、音声合成装置１１７は、スピーカ１１１と信号処理回路１０１との間にあるアンプ１１８と接続されている。
通常の通話中には、信号処理回路１０１によって処理された受信キャリアは、通話相手先の音声を示す音信号としてアンプ１１８によって増幅されてスピーカ１１１から出力される。しかし、一の電話番号を使用しているときに他の電話番号への着信があった場合には、音声合成装置１１７によって、当該着信相手先の称呼（例えば、氏名又は名称等）を示す音信号が合成され、アンプ１１１において、通話相手先の音声を示す音信号と、着信相手先の称呼を示す音信号とが重畳され、重畳された音信号がスピーカ１１１から出力される。
その結果、使用者は、通話相手先との通話中であっても、割込音としての着信相手先の称呼を認識することができる。
【００３４】
次に、電話番号記憶回路１１３に格納されるアドレス帳テーブルについて説明する。
図３は、アドレス帳テーブルの一例を示す概念図である。
アドレス帳テーブルには、自局電話番号が３つ記憶されている。これらの電話番号が、携帯電話機１で使用可能な電話番号である。
【００３５】
アドレス帳テーブルには、各電話番号の用途が記憶されている。最上段の電話番号が私的用であり、その下段が業務用Ａ（自社用）であり、最下段が業務用Ｂ（取引先用）である。
このように自局電話番号とその用途とが関連付けられているため、複数の用途についての使い分けが可能であり、通話料金の支払い先を明確にすることができる。
【００３６】
アドレス帳テーブルには、相手先識別情報が記憶されている。相手先識別情報には、相手先電話番号と、相手先氏名又は名称とが含まれる。相手先識別情報は、各自局電話番号と関連付けられている。例えば、個人用の電話番号には、相手先「ひろみ（妻）」の識別情報と、相手先「りょうこ（母）」の識別情報と、相手先「ひろし（友人）」とが関連付けられている。
【００３７】
相手先「ひろみ（妻）」の識別情報には、割込音として「ひろみ」が設定され、優先度として「７」が設定されている。また、相手先「りょうこ（母）」の識別情報には、割込音として「母」が設定され、優先度として「６」が設定されている。さらに、相手先「ひろし（友人）」には、割込音として「ひろし」が設定され、優先度として「４」が設定されている。
【００３８】
また、業務用Ａ（自社用）の電話番号には、相手先「××社長」の識別情報と、相手先「○○部長」の識別情報と、相手先「△△課長」の識別情報とが関連付けられている。
相手先「××社長」の識別情報には、割込音として「社長」が設定され、優先度として「１０」が設定されている。相手先「○○部長」の識別情報には、割込音として「部長」が設定され、優先度として「９」が設定されている。相手先「△△課長」の識別情報には、割込音として「課長」が設定され、優先度として「８」が設定されている。
【００３９】
さらに、業務用Ｂ（取引用）の電話番号には、相手先「◇◇株式会社」の識別情報と、相手先「▽▽株式会社」の識別情報とが関連付けられている。
相手先「◇◇株式会社」の識別情報には、割込音として「取引先◇◇」が設定され、優先度「７」が設定されている。相手先「▽▽株式会社」の識別情報には、割込音として「下請会社▽▽」が設定され、優先度「６」が設定されている。
【００４０】
割込音は、複数の自局電話番号のいずれかを使用して通話をしている間に、他の電話番号に対して着信があったときに発せられる音であり、携帯電話機１においては、割込音は、着信相手先の称呼を表す音声である。また、優先度は、相手先の電話番号ごとに個別に設定されるものであり、通話相手先と着信相手先とのいずれを優先するかを決定するものである。
【００４１】
従って、例えば、相手先「▽▽株式会社」との通話中に相手先「××社長」から着信があると、通話相手先「▽▽株式会社」の優先度（６）と、着信相手先「××社長」の優先度（１０）とが比較され、優先度が高い着信相手先「××社長」の割込音として「社長」がスピーカ１１１から出力される。このとき、使用者は、操作キー群６にある通話ボタンを選択して相手先「××社長」との通話を選択することができる。
【００４２】
一方、例えば、相手先「××社長」との通話中に相手先「▽▽株式会社」から着信があると、通話相手先「××社長」の優先度（１０）と、着信相手先「▽▽株式会社」の優先度（６）とが比較される。この場合、通話相手先「××社長」の優先度が高いため、割込音は発生せずに、そのまま通話が継続される。
【００４３】
図３に示したアドレス帳テーブルの各項目の内容、及び、各項目間の関連付けについては、「自局電話番号」の内容を除いて、使用者が十字方向操作キー５や操作キー群６を操作することにより任意に入力することが可能である。また、割込音又は優先度についても、使用者が十字方向操作キー５及び操作キー群６を操作することにより任意に設定することが可能である。
【００４４】
携帯電話機１において、制御回路１１６、音声合成装置１１７、アンプ１１８及びスピーカ１１１は、複数の電話番号のいずれか一の電話番号を使用して通話をしている間に、他の電話番号に対して着信があったとき、割込音を発生させる割込音発生手段として機能する。制御回路１１６及び電話番号記憶回路１１３は、割込音を相手先の電話番号に対応させて個別に設定することが可能な割込音設定手段として機能する。
通話ボタンを含む操作キー群６は、割込音が発生しているときに、通話相手先との通話を終了して着信相手先との通話を行うための指示の入力を可能とする指示入力手段として機能する。
【００４５】
また、制御回路１１６及び電話番号記憶回路１１３は、相手先の電話番号ごとに優先度を設定する優先度設定手段として機能する。また、制御回路１１６は、複数の電話番号のいずれか一の電話番号を使用して通話している間に、他の電話番号に対して着信があったとき、着信相手先の電話番号に設定された優先度を、通話相手先の電話番号に設定された優先度と比較することにより、割込音を発生させるか否かを判断する判断手段として機能する。
【００４６】
次に、携帯電話機１において行われる処理について説明する。
図４は、携帯電話機１において実行される通話中着信処理を行うサブルーチンを示すフローチャートである。このサブルーチンは、複数の電話番号のいずれか１に対して着信があったときに、予め実行されているメインルーチンから呼び出されて実行されるものである。
なお、着信の有無は、信号処理回路１０１から受信キャリアの入力を受けたか否かにより判断される。
【００４７】
このサブルーチンが開始されると、まず、制御回路１１６は、通話中であるか否かを判断する（ステップＳ１）。通話中であるか否かは、着信に係る受信キャリアの入力を受けた信号処理回路１０１（１０１ａ〜１０１ｃ）以外の信号処理回路１０１から、受信キャリアの入力を受けているか否かにより判断する。通話中ではないと判断した場合、着信相手先との通話を開始させる処理を行い（ステップＳ１１）、本サブルーチンを終了する。
その結果、使用者は、着信相手先との通話を行うことができる。
【００４８】
一方、通話中であると判断した場合には、一の電話番号を使用して通話している間に他の電話番号に対して着信があったことになるので、制御回路１１６は、電話番号記憶回路１１３のアドレス帳テーブルから、通話相手先の優先度Ｘを読み出す（ステップＳ２）。例えば、通話相手先が「ひろみ（妻）」であれば、優先度Ｘは「７」である（図３参照）。
【００４９】
次に、制御回路１１６は、電話番号記憶回路１１３のアドレス帳テーブルから、着信相手先の優先度Ｙを読み出す（ステップＳ３）。例えば、着信相手先が「××社長」であれば、優先度は「１０」である（図３参照）。
【００５０】
次に、制御回路１１６は、通話相手先の優先度Ｘと、着信相手先の優先度Ｙとを比較し（ステップＳ４）、比較した結果、（着信相手先の優先度Ｙ）≧（通話相手先の優先度Ｘ）であるか否かを判断する（ステップＳ５）。通話相手先「ひろみ」、着信相手先「××社長」である場合、Ｙ「１０」≧Ｘ「７」となる。
【００５１】
このとき、制御回路１１６は、複数の電話番号のいずれか一の電話番号を使用して通話している間に、他の電話番号に対して着信があったとき、着信相手先の電話番号に設定された優先度を、通話相手先の電話番号に設定された優先度と比較することにより、割込音を発生させるか否かを判断する判断手段として機能する。
【００５２】
ステップＳ５において、（着信相手先の優先度Ｙ）≧（通話相手先の優先度Ｘ）ではないと判断した場合、割込音を発生させることなく、通話相手先との通話を継続させ（ステップＳ１３）、本サブルーチンを終了する。
【００５３】
一方、ステップＳ５において、（着信相手先の優先度Ｙ）≧（通話相手先の優先度Ｘ）であると判断した場合、着信相手先の割込音（音声）を読み出す（ステップＳ６）。電話番号記憶テーブルには、相手先「××社長」の割込音として「社長」が設定されているので、この割込音を読み出す処理を行う。
【００５４】
次に、制御回路１１６は、信号処理回路１１６の出力へ、音声合成装置１１７の出力を重畳させる（ステップＳ７）。この処理では、アンプ１１８に対して、信号処理回路１１６の出力へ音声合成装置１１７の出力を重畳させる旨の制御信号を出力する。
【００５５】
次に、制御回路１１６は、音声合成装置１１７でのガイダンスの合成を行う（ステップＳ８）。例えば、割込音として「社長」が読み出された場合には、音声合成装置１１７は、「タダイマ、シャチョウ、カラ、デンワガカカッテイマス」を示す音信号を合成し、アンプ１１８に供給する。そして、アンプ１１８において、受信キャリアとの重畳がされた後、スピーカ１１１から出力される。その結果、スピーカ１１１からは、通話相手先からの音声とともに、「タダイマ、シャチョウ、カラ、デンワガカカッテイマス」という音声が出力される。その後、制御回路１１６は、音声合成装置１１７の出力の重畳を終了し、信号処理回路１１６の出力のみに戻す（ステップＳ９）。
【００５６】
ステップＳ７〜Ｓ９において、制御回路１１６、音声合成装置１１３、アンプ１１８及びスピーカ１１１は、複数の電話番号のいずれか一の電話番号を使用して通話している間に、他の電話番号に対して着信があったとき、割込音を発生させる割込音発生手段として機能する。
【００５７】
次に、制御回路１１６は、操作キー群６にある通話ボタンが操作され、通話相手先の通話から着信相手先の通話に切り換える旨の指示が入力されたか否かを判断する（ステップＳ１０）。このとき、通話ボタンを含む操作キー群６は、割込音が発生しているときに、通話相手先との通話を終了して着信相手先との通話を行うための指示の入力を可能とする指示入力手段として機能する。
【００５８】
通話相手先の通話から着信相手先の通話に切り換える旨の指示が入力されなかったと判断した場合、制御回路１１６は、通話相手先との通話を継続させ（ステップＳ１３）、本サブルーチンを終了する。一方、通話相手先の通話から着信相手先の通話に切り換える旨の指示が入力されたと判断した場合、着信相手先への通話に切り換えて（ステップＳ１２）、本サブルーチンを終了する。
【００５９】
以上、携帯電話機１によれば、複数の電話番号のいずれか一の電話番号を使用して通話している間に、他の電話番号に対して着信があったとき、割込音が発生し、使用者の選択によっては、通話相手先との通話を終了して着信相手先との通話を行うことができるため、利便性が損なわれることがなく、１台で複数の電話番号を使用可能とした利益を充分に享受することができる。また、割込音を相手先の電話番号に対応させて個別に設定することができるため、割込音によって容易に着信相手先を認識することができる。従って、例えば、割込音が発生したときにディスプレイを見て着信相手先を確認したり、通話相手先を待たせておいて一旦着信相手先との通話を行ったりするというような煩わしい手間を省くことができ、割込音によって、通話相手先との通話を継続するか、着信相手先との通話を行うかを選択することができるという点において利便性に優れている。
【００６０】
また、予め相手先の電話番号に優先度が設定されており、一の電話番号を使用した通話中に他の電話番号に対して着信があった場合、通話相手先の電話番号に設定された優先度と着信相手先の電話番号に設定された優先度とが比較され、通話相手先の電話番号に設定された優先度が高い場合には割込音が発生しないというように、優先度に応じて割込音の発生が制限されるため、通話に集中することが可能となり、利便性に優れたものとなる。特に、１台で使用可能な電話番号の数が増えるほど割込音が発生する機会が増えることになるが、携帯電話機１によれば、利便性が損なわれるということがなく、逆に１台で複数の電話番号を使用可能とした利益を充分に享受することができる。
【００６１】
さらに、携帯電話機１によれば、割込音によって着信相手先の称呼を認識することができるため、使用者は、着信相手先ごとの割込音を記憶していなくても、着信相手先が誰であるかを認識することが可能であり、利便性に優れたものとなる。特に、１台で使用可能な電話番号の数が増えるほど、割込音が発生する機会が増えたり、割込音の種類が増えたりすることになり、着信相手先ごとの割込音を記憶することが困難になるが、携帯電話機１によれば、着信相手先ごとに割込音を記憶する必要がないため、利便性が損なわれるということがなく、逆に１台で複数の電話番号を使用可能とした利益を充分に享受することができる。
【００６２】
本発明において、割込音としては、特に限定されるものではなく、例えば、音声、電子音、メロディ等を挙げることができる。なかでも、本発明において、割込音は、携帯電話機１のように、着信相手先の称呼を表す音声であることが望ましい。着信相手先ごとの割込音を記憶していなくても、着信相手先が誰であるかを認識することが可能であり、利便性に優れたものとなるからである。また、割込音に替えて、バイブレータ用モータ１０４の振動を利用してもよい。この場合、相手先の電話番号ごとにバイブレータ用モータ１０４の振動パターンを設定することができる。
【００６３】
また、本発明において、割込音発生手段は、割込音を発生させてから所定期間が経過した後に、当該割込音の発生を停止させることが望ましい。使用者が通話相手先との通話を継続させると判断した後にも割込音が発生すると通話の妨げになるからである。
【００６４】
また、本発明の携帯電話機は、携帯電話機１に限定されるものではなく、例えば、以下のような構成を採用することができる。
（Ａ）相手先の電話番号ごとに優先度を設定する優先度設定手段と、
複数の電話番号のいずれか一の電話番号を使用して通話している間に、他の電話番号に対して着信があったとき、着信相手先の電話番号に設定された優先度を、通話相手先の電話番号に設定された優先度と比較することにより、着信相手先又は通話相手先のいずれか１を選択する選択手段と、
選択手段によって着信相手先が選択された際、強制的に通話相手先との通話を終了させるとともに着信相手先との通話を開始させる通話切換手段とを備えたことを特徴とする携帯電話機。
【００６５】
なお、優先度の設定、優先度に応じて着信相手先又は通話相手先のいずれか１を選択する処理、選択結果に応じて通話相手先との通話を終了させるとともに着信相手先との通話を開始させる処理については、図３、図４を用いて説明済であるので、ここでの説明は省略する。
【００６６】
（Ａ）の携帯電話機によれば、予め相手先の電話番号に優先度が設定されており、一の電話番号を使用した通話中に他の電話番号に対して着信があった場合、通話相手先の電話番号に設定された優先度と着信相手先の電話番号に設定された優先度とが比較され、着信相手先の電話番号に設定された優先度が高い場合には、自動的に通話相手先との通話が終了して着信相手先との通話が開始されるため、優先度の高い相手先との通話を優先させることができ、優先度の高い相手先を待たせるということがない。従って、利便性が損なわれることがなく、１台で複数の電話番号を使用可能とした利益を充分に享受することができる。
【００６７】
また、本発明の携帯電話機は、携帯電話機１のように、必ずしも、１台で複数の電話番号が使用可能である必要はなく、例えば、以下のような構成を採用することができる。
（Ｂ）通話中に着信があったとき、割込音を発生させる割込音発生手段と、
上記割込音を相手先の電話番号に対応させて個別に設定することが可能な割込音設定手段と、
上記割込音が発生しているとき、通話相手先との通話を終了して着信相手先との通話を行うための指示の入力を可能とする指示入力手段とを備えたことを特徴とする携帯電話機。
【００６８】
（Ｂ）の携帯電話機によれば、割込音を相手先の電話番号に対応させて個別に設定することができるため、割込音によって容易に着信相手先を認識することができる。従って、例えば、割込音が発生したときにディスプレイを見て着信相手先を確認したり、通話相手先を待たせておいて一旦着信相手先との通話を行ったりするというような煩わしい手間を省くことができ、割込音によって、通話相手先との通話を継続するか、着信相手先との通話を行うかを選択することができるという点において利便性に優れている。
【００６９】
上記（Ｂ）の携帯電話機は、相手先の電話番号ごとに優先度を設定する優先度設定手段と、
複数の電話番号のいずれか一の電話番号を使用して通話している間に、他の電話番号に対して着信があったとき、上記割込音発生手段によって割込音を発生させる前に、着信相手先の電話番号に設定された優先度を、通話相手先の電話番号に設定された優先度と比較することにより、割込音を発生させるか否かを判断する判断手段とを備え、
上記割込音発生手段は、上記判断手段によって割込音を発生させると判断された後に、当該割込音を発生させることが望ましい。
優先度に応じて割込音の発生が制限されるため、通話に集中することが可能となり、利便性に優れたものとなるからである。
【００７０】
また、上記（Ｂ）の携帯電話機において、割込音は、着信相手先の称呼を表す音声であることが望ましい。
使用者は、着信相手先ごとの割込音を記憶していなくても、着信相手先が誰であるかを認識することが可能であり、利便性に優れたものとなるからである。
【００７１】
また、本発明の携帯電話機は、以下のような構成を採用することが可能である。
（Ｃ）相手先の電話番号ごとに優先度を設定する優先度設定手段と、
通話中に着信があったとき、着信相手先の電話番号に設定された優先度と、通話相手先の電話番号に設定された優先度とを比較することにより、上記着信相手先又は上記通話相手先のいずれか１を選択する選択手段と、
上記選択手段によって上記着信相手先が選択された際、強制的に上記通話相手先との通話を終了させるとともに上記着信相手先との通話を開始させる通話切換手段と
を備えたことを特徴とする携帯電話機。
【００７２】
（Ｃ）の携帯電話機によれば、優先度の高い相手先との通話を優先させることができ、優先度の高い相手先を待たせることがないという点において利便性に優れている。
【図面の簡単な説明】
【００７３】
【図１】本発明の携帯電話機の一例を模式的に示す斜視図である。
【図２】図１に示した携帯電話機の内部構成を示すブロック図である。
【図３】図２に示した電話番号記憶回路に格納されるアドレス帳テーブルを示す概念図である。
【図４】図１に示した携帯電話機において実行される通話中着信処理ルーチンを行うためのサブルーチンである。
【符号の説明】
【００７４】
１  携帯電話機
２  アンテナ
３  受話口
４  ディスプレイ
５  十字方向操作キー
６  操作キー群
７  送話口
１１  ケース
１２  カバー
１０１  送受信共用器
１０２  受信器
１０３  シンセサイザ
１０４  送信器
１０５  チャネルデコーダ
１０６  チャネルエンコーダ
１０７  音声コーデック
１０８  送受話器
１１１  スピーカ
１１２  マイクロホン
１１６  制御回路
１１７  音声合成装置
【図１】
2005191900.tif 000003
【図２】
2005191900.tif 000004
【図３】
2005191900.tif 000005
【図４】
2005191900.tif 000006